(57)【要約】【課題】  収納部の底壁面または側壁面を変形して、収納部の容積を拡大することができる収納部構造に関する。【解決手段】この発明は、コンソールボックスなどの筐体の上面パネルに形成された開口部に設けられた上面が開放されたボックス状の収納部構造において、筐体内部に形成された収納部の底壁面または側壁面が、収納部の容積を拡大する外方向に変形するようになっている。また、前記収納部構造は、筐体内部に形成された収納部の周壁面または底壁面の少なくとも一部を内方または上方に変位するリンク機構を設けて、収納物を取り出しやすくした構成からなっていてもよい。【選択図】  図１
2006051897.tif 000002
【特許請求の範囲】
【請求項１】
コンソールボックスなどの筐体の上面パネルに形成された開口部に設けられた上面が開放されたボックス状の収納部構造において、
筐体内部に形成された収納部の底壁面または側壁面が、収納部の容積を拡大する外方向に変形するようになっていることを特徴とする収納部構造。
【請求項２】
収納部が上下に分割されており、上方を下面が開放された略筒形状からなって上面パネル側に固定された固定構成部とし、下方を有底の略筒形状で前記固定構成部に外嵌可能な可動構成部とし、
該可動構成部を前記固定構成部に対して下方へスライド可能に取り付けて、可動構成部を固定構成部に外嵌する縮小位置と、可動構成部を固定構成部より下方にスライドさせる拡張位置とに変位可能としたことを特徴とする請求項１に記載の収納部構造。
【請求項３】
収納部が横方向に複数に分割されており、横方向の一方または双方が開放されたボックス状からなって上面パネル側に固定された固定構成部と、該固定構成部の横方向の開放側で、上部が上面パネルの口縁部に傾動自在に取り付けられ底壁面構成部を横方向外方へスライド可能に取り付けた可動構成部とからなっており、
該可動構成部の底壁面構成部を固定構成部の底壁面に対して拡大方向にスライドして収納部の底壁面を拡大してなることを特徴とする請求項１に記載の収納部構造。
【請求項４】
収納部の壁面が、下方または側方外方へ拡大可能な弾性または可撓性を有する素材からなっていることを特徴とする請求項１に記載の収納部構造。
【請求項５】
収納部が横方向に複数に分割されており、横方向の一方または双方が開放されたボックス状からなって上面パネル側に固定された固定構成部と、該固定構成部の横方向の開放側で、上部が上面パネルの口縁部に枢着されて底壁面構成部を横方向外方へ枢動可能に取り付けた可動構成部とからなっており、
該可動構成部が拡大方向に変位する際に、可動構成部と固定構成部との間の隙間を塞ぐ可撓性を有する覆い部材を取り付けてなることを特徴とする請求項１に記載の収納部構造。
【請求項６】
コンソールボックスなどの筐体の上面パネルに形成された上面が開放されたボックス状の収納部構造において、
筐体内部に形成された収納部の周壁面または底壁面の少なくとも一部を内方または上方に変位するリンク機構を設けて、収納物を取り出しやすくしたことを特徴とする収納部構造。
【請求項７】
リンク機構が、収納部の上部に設けた固定位置の第１枢点に枢着された第１リンク部材と、該第１リンク部材の下端に一端が第２枢点に枢着されて底面に沿ってその中途位置まで延びる第２リンク部材と、該第２リンク部材の他端に第３枢点に枢着されて底面に沿って第１リンク部材と対向する側まで延びる第３リンク部材と、下端が該第３リンク部材に第４枢点によって枢着されると共に上部が前記第１リンク部材と対向する収納部の上部口縁側に設けた固定位置の第５枢点に枢着された第４リンク部材とからなり、前記第２枢点を変位させる作動部材を設けてなることを特徴とする請求項６に記載の収納部構造。
【発明の詳細な説明】
【技術分野】
【０００１】
本発明は、コンソールボックスなどの筐体の上面パネルに形成された面が開放されたボックス状の収納部構造の改良に関する。
【背景技術】
【０００２】
図７に示すように、建設機械の運転室３０内では、例えば、運転席３１の側方に設けられたコンソールボックス４０のケーシングの上面パネル４１には、小物入れ用の収納部１が形成されている。
即ち、コンソールボックス４０の上面パネル４１は幅狭で細長く、開口部４２の大きさが限られている。
また、収納部１は固定されているので、内容積は一定で限られている。
そのため、収納物に対して収納部１を適切な大きさにできず、収納が十分ではなかった。
また、収納物に対して適切な深さにできないので、小さな収納物は取り出しにくいという欠点があった。
一方、例えば、特開平７−２６６９９３号の収納ボックス付きコンソールボックスにおいては、本体の内部に設けたボックス部に収納ボックスを着脱自在に設け、この収納ボックスの上面開口部に回動蓋を設けると共に、この回動蓋にホルダ孔を設けた構造などが知られているが、前述のように収納部の大きさを拡大することはできなかった。
【特許文献１】特開平７−２６６９９３号
【発明の開示】
【発明が解決しようとする課題】
【０００３】
この発明の解決しようとする問題点は、収納部の底壁面または側壁面を変形して、収納部の容積を拡大することができる収納部構造を提供することにある。
この発明の別の課題は、収納部の底壁面の少なくとも一部を上方に変位可能として収納物を取り出しやすくした収納部構造を提供することにある。
【課題を解決するための手段】
【０００４】
上記課題を解決するために、請求項１の発明では、
コンソールボックスなどの筐体の上面パネルに形成された開口部に設けられた上面が開放されたボックス状の収納部構造において、
筐体内部に形成された収納部の底壁面または側壁面が、収納部の容積を拡大する外方向に変形するようになっていることを特徴とする。
請求項２の発明では、
前記収納部が上下に分割されており、上方を下面が開放された略筒形状からなって上面パネル側に固定された固定構成部とし、下方を有底の略筒形状で前記固定構成部に外嵌可能な可動構成部とし、
該可動構成部を前記固定構成部に対して下方へスライド可能に取り付けて、可動構成部を固定構成部に外嵌する縮小位置と、可動構成部を固定構成部より下方にスライドさせる拡張位置とに変位可能としたことを特徴とする。
また、請求項３の発明では、
前記収納部が横方向に複数に分割されており、横方向の一方または双方が開放されたボックス状からなって上面パネル側に固定された固定構成部と、該固定構成部の横方向の開放側で、上部が上面パネルの口縁部に傾動自在に取り付けられ底壁面構成部を横方向外方へスライド可能に取り付けた可動構成部とからなっており、
該可動構成部の底壁面構成部を固定構成部の底壁面に対して拡大方向にスライドして収納部の底壁面を拡大してなることを特徴とする。
請求項４の発明では、
前記収納部の壁面が、下方または側方外方へ拡大可能な弾性または可撓性を有する素材からなっていることを特徴とする。
また、請求項５の発明では、
前記収納部が横方向に複数に分割されており、横方向の一方または双方が開放されたボックス状からなって上面パネル側に固定された固定構成部と、該固定構成部の横方向の開放側で、上部が上面パネルの口縁部に枢着されて底壁面構成部を横方向外方へ枢動可能に取り付けた可動構成部とからなっており、
該可動構成部が拡大方向に変位する際に、可動構成部と固定構成部との間の隙間を塞ぐ可撓性を有する覆い部材を取付てなることを特徴とする。
【０００５】
更に、請求項６の発明では、
コンソールボックスなどの筐体の上面パネルに形成された上面が開放されたボックス状の収納部構造において、
筐体内部に形成された収納部の周壁面または底壁面の少なくとも一部を内方または上方に変位するリンク機構を設けて、収納物を取り出しやすくしたことを特徴とする。
また、請求項７の発明では、
前記リンク機構が、収納部の上部に設けた固定位置の第１枢点に枢着された第１リンク部材と、該第１リンク部材の下端に一端が第２枢点に枢着されて底面に沿ってその中途位置まで延びる第２リンク部材と、該第２リンク部材の他端に第３枢点に枢着されて底面に沿って第１リンク部材と対向する側まで延びる第３リンク部材と、下端が該第３リンク部材に第４枢点によって枢着されると共に上部が前記第１リンク部材と対向する収納部の上部口縁側に設けた固定位置の第５枢点に枢着された第４リンク部材とからなり、前記第２枢点を変位させる作動部材を設けてなることを特徴とする。
【発明の効果】
【０００６】
この発明の収納部構造は、収納部の底壁面または側壁面を変形することができるので、収納物の大きさに合わせて収納部の容積を拡大して、適切な収納を行うことができる。
また、この発明の収納構造では  収納部の周壁面または底壁面の少なくとも一部を上方に変位することができるので、収納物が小さくても取り出しやすくすることができる。
【発明を実施するための最良の形態】
【０００７】
この発明では、筐体内部に形成された収納部の底壁面または側壁面をスライドして変形させ、収納部の容積の拡大を実現している。
以下にこの発明の収納部構造を油圧ショベルなどの建設機械のコンソールボックスに設けた収納部に適用した好適実施例について図面を参照しながら説明する。
【実施例１】
【０００８】
図７に一例を示す建設機械の運転室３０は、ほぼ中央に運転席３１を備え、運転席３１の側方にコンソールボックス４０を配置し、運転席３１の前方に操作レバー３３、運転席３１の後方に各種機器３４を備えると共に、前部を前方窓、左右側部の一方（図中右側）に出入口ドアを備え、下方部分を内壁により囲まれた概略構成からなっている。
そして、本実施例の収納部１は、前記コンソールボックス４０のケーシングの上面パネル４１に形成されている。
【０００９】
実施例１の収納部１は、図１および図２に示すように上下に分割されており上下方向に伸縮自在となっている。
即ち、収納部１の上方は、上下が開放された角筒状からなって、上面パネル４１の開口部４２に一体に形成された固定構成部１Ａからなっている。
【００１０】
一方、収納部１の下方は、有底の角筒状で前記固定構成部１Ａに外嵌可能な相似形からなる可動構成部１Ｂとなっている。
この可動構成部１Ｂは、固定構成部１Ａに対して下方へスライド可能に取り付けられている。
即ち、固定構成部１Ａには、その側壁面８ａに上下に延びる縦孔２が形成されている。
可動構成部１Ｂには、その側壁面８ｂに、前記縦孔２に摺動可能に嵌挿し、先端に抜止用の摺動軸部３が突設されている。
【００１１】
これにより、固定構成部１Ａに重なるように可動構成部１Ｂを外嵌した状態（図１参照）から、前記摺動軸部３を縦孔２に沿って下方へスライドして可動構成部１Ｂを下方へガイドしながら降下させ、図２に示すように可動構成部１Ｂの底壁面４を下げることで、収納部１の容積を下方へ拡大することができる。
なお、可動構成部１Ｂを固定構成部１Ａに重ねた図１の状態で、前記摺動軸部３が縦孔２に拘束されるように形成することが好ましい。
例えば、図１（ｃ）に示すように縦孔２の上部を斜め横に延ばして掛止孔部２ａを形成したり、あるいは図１（ｄ）に示すように縦孔２の上端の手間に幅狭な部分２ｂを設けて摺動軸部３がこれを押し広げながら上部に摺動するようにして、摺動軸部３を縦孔２の上端で係止するなどの構成を用いてもよい。
【実施例２】
【００１２】
図３に示す実施例２の収納部１は、横方向（図中、左右方向）に分割されている。
即ち、収納部１の中央部分は、左右両側が開放されて開口部４２の側壁面８に固定されて底壁面構成部４ａを形成する固定構成部１Ａが設けられている。
また、固定構成部１Ａの左右両側には、固定構成部１Ａの左右両側を塞ぐ左右一対の可動構成部１Ｂ、１Ｃが取り付けられている。
可動構成部１Ｂ、１Ｃは、上面パネル４１との連結個所に上部屈曲部５ｂ、５ｃが形成され、下方の底壁面構成部４ｂ、４ｃとの折曲個所には下部屈曲部６ｂ、６ｃが形成されて、それぞれの屈曲部５ｂ、５ｃ、６ｂ、６ｃが折り曲げ自在な可撓性を有しており、前記固定構成部１Ａの底壁面４ａに底壁面構成部４ｂ、４ｃがスライド自在に嵌合されている。
【００１３】
この可動構成部１Ｂ、１Ｃの底壁面４ｂ、４ｃは、前記固定構成部１Ａの底壁面構成部４ａの下方に重なっており、図示例では固定構成部１Ａの底壁面構成部４ａに形成された横溝７に、可動構成部１Ｂ、１Ｃの底壁面構成部４ｂ、４ｃに突設した摺動軸部３ｂ、３ｃをスライド可能に嵌挿し先端を横溝７の溝幅より大きい抜止部としている。
そして、可動構成部１Ｂ、１Ｃは、いずれか一方または双方を屈曲部５ｂ、５ｃまたは６ｂ、６ｃを介して外方へ傾け、可動構成部１Ｂ、１Ｃの底壁面構成部４ｂ、４ｃを固定構成部１Ａの底壁面構成部４ａに対して外方へスライドさせることで底壁面４（４ａ、４ｂ、４ｃ）を左右方向（外方）にスライドし、収納部１の容積を拡大することができる。
【００１４】
上記実施例では、固定構成部１Ａと可動構成部１Ｂ、１Ｃには側壁面を設けず、開口部４２に直接に固定された一連の側壁部８を設け、該側壁部８に略隙間無く可動構成部１Ｂ、１Ｃを摺動させる構成としたが、固定構成部１Ａや可動構成部１Ｂ、１Ｃにそれぞれ側方を覆う側壁部を一体に形成するものであってもよい。
また、固定構成部１Ａの左右両側に一対の可動構成部１Ｂ、１Ｃを設けた場合を例示したが、固定構成部１Ａの一側を塞いでおき、開放側にだけ１つの可動構成部１Ｂまたは１Ｃを設ける構成としてもよい。
その場合のスライド機構は可動構成部を設けた側だけでよく、その他の構成は前記実施例と同様である。
【実施例３】
【００１５】
上記実施例では、収納部を複数に分割しておき、底壁面ないし周壁面の一部を重ねておき、容量を拡大するとに外側へスライドする構成を例示したが、この発明では、収納部の周壁の全部または一部に可撓性または弾性を有する素材を設けてもよい（図４参照）。
この場合に、収納部１内に収納物が収納され、その重量が一定以上の場合に、収納部１が復帰可能に伸張し、あるいは撓んで収納部の容積を拡大することができるようにすればよい。
【実施例４】
【００１６】
図５に示す収納部１は、左右に２分割された一対の可動構成部１Ｂ、１Ｃとからなっており、各可動構成部１Ｂ、１Ｃの上部が、上面パネル４１の開口部４２口縁側に枢軸Ｐによって枢着されている。
また左右の可動構成部１Ｂおよび１Ｃの下部の底壁面構成部４ｂ、４ｃおよび側壁部８ｂ、８ｃの開口縁部には可撓性を有するシート９が一連に貼り付けられている。
【００１７】
そこで、図５（ａ）の可動構成部１Ｂ、１Ｃが閉じた状態で納部部１を形成している状態ではシート９が折り畳まれた状態となっており、同図（ｂ）の前記枢軸Ｐを支点にして可動構成部１Ｂ、１Ｃが左右外方へ枢動して開いた状態に変位すると、前記シート９が広がって可動構成部１Ｂ、１Ｃ間の隙間を塞ぐようになっている。
図示例では左右の可動構成部１Ｂ、１Ｃとシート９とを別体としたが、可動構成部１Ｂ、１Ｃを枠体とし、シート９と同一素材のシートで前記枠体を覆うように取り付けることで、シート９を可動構成部１Ｂ、１Ｃに貼り付けたシートと一体に形成することができる。
【実施例５】
【００１８】
図６に示す実施例５の収納部１は、ケーシング内部に形成された収納部１の底壁面４の一部を上方に変位するために、収納部１の底壁面４および側壁面８を変形させるリンク機構１０を設けている。
このリンク機構１０は、上面パネル４１の開口部４２の上部に設けた固定位置の第１枢点Ｐ１に枢着された第１リンク部材１１と、該第１リンク部材１１の下端に一端が第２枢点Ｐ２により枢着されて底壁面４に沿ってその中途位置まで延びる第２リンク部材１２と、該第２リンク部材１２の他端に第３枢点Ｐ３により枢着されて底壁面４に沿って第１リンク部材１１と対向する側まで延びる第３リンク部材１３と、下端が該第３リンク部材１３に第４枢点Ｐ４によって枢着されると共に上部が前記第１リンク部材１１と対向する上部口縁側に設けた固定位置の第５枢点Ｐ５に枢着された第４リンク部材１４とからなっている。
【００１９】
なお、１５ａ、１５ｂは固定された第１枢点Ｐ１と第５枢点Ｐ５を支持するための固定リンクである。
また、収納部１の一側には、第１リンク部材１１の外側でＬ状に形成されて下端が前記第２枢点Ｐ２に枢着された作動部材１６が設けられている。
該作動部材１６は、上面パネル４１上で図６（ａ）で示すようにａ方向に略平行にスライドしうるように取り付けられている。
【００２０】
上記構成からなっているので、作動部材１６を図５（ａ）の待機位置から図中左側となるａ方向に平行にスライド操作すると、第１枢点Ｐ１を支点にして第２枢点Ｐ２が図中時計方向に枢動変位する。
これに伴い、第２リンク部材１２と第３リンク部材１３とを連結する第３枢点Ｐ３が上方へ変位して、底壁面４の一部（第２可動点Ｐ３位置）を上方へせり上げることができる。
この構成において第４枢点Ｐ４は固定された枢点、あるいは拡大方向への動きが規制された枢点であってもよい。
【００２１】
上記構成は、底壁面の一部を上方にせり上げる構成を例示したが、側壁面の一部を内側に突出させるように変位する構成を用いてもよい。
その他、要するにこの発明の要旨を変更しない範囲で種々設計変更しうること勿論である。
【図面の簡単な説明】
【００２２】
【図１】実施例１の上下に拡大する収納部構造の縮小した状態を示す図であり、（ａ）は斜視図、（ｂ）は断面図、（ｃ）は縦溝のロック構造を示す図、（ｄ）は異なるロック構造を示す図である。
【図２】図１の収納部構造で、拡大した状態を示す図であり、（ａ）は斜視図、（ｂ）は断面図である。
【図３（ａ）】実施例２の左右に拡大する収納構造を示す図であって、縮小した状態を示す断面図である。
【図３（ｂ）】実施例２の左右に拡大する収納構造を示す図であって、拡大した状態を示す断面図である。
【図３（ｃ）】実施例２の左右に拡大する収納構造を示す図であって、縮小した状態の平面図である。
【図３（ｄ）】実施例２の左右に拡大する収納構造を示す図であって、拡大した状態の平面図である。
【図４】実施例３の周壁が伸縮する収納構造を示す断面図であり、（ａ）は縮小した状態を示す図、（ｂ）は拡大した状態を示す図である。
【図５】実施例４の周壁が左右に枢動する収納構造を示す断面図であり、（ａ）は縮小した状態を示す図、（ｂ）は拡大した状態を示す図である。
【図６】実施例５の底壁面の一部がせり上がる収納構造の機構を示す模式図であり、（ａ）は通常の状態を示す図、（ｂ）は底壁面の一部がせり上がる状態を示す図である。
【図７】収納部の位置を示すための建設機械の運転室の斜視図である。
【符号の説明】
【００２３】
１      収納部
１Ａ    固定部
１Ｂ、１Ｃ  可動部
２      縦孔
３      摺動軸部
３ｂ、３ｃ  摺動軸部
４      底壁面
５ｂ、５ｃ  上部屈曲部
６ｂ、６ｃ  下部屈曲部
７      横溝
８      側壁面
９      シート
１０      リンク機構
１１〜１５  第１〜第５リンク部材
１６      作動部材
３０      運転室  
４０      コンソールボックス
４１      上面パネル
４２      開口部
【図１】
2006051897.tif 000003
【図２】
2006051897.tif 000004
【図３（ａ）】
2006051897.tif 000005
【図３（ｂ）】
2006051897.tif 000006
【図３（ｃ）】
2006051897.tif 000007
【図３（ｄ）】
2006051897.tif 000008
【図４】
2006051897.tif 000009
【図５】
2006051897.tif 000010
【図６】
2006051897.tif 000011
【図７】
2006051897.tif 000012